(57)【特許請求の範囲】
【請求項１】
オートドキュメントフィーダ機構により原稿を紙送りしながら所定位置に配置されたイメージセンサで画像を読み取る第１の画像読み取り手段と、
透明な原稿台上に載置された原稿に対してイメージセンサを移動させつつ画像を読み取るフラットベッド方式の第２の画像読み取り手段と
を備えているファクシミリ装置において、
前記第１の画像読み取り手段と前記第２の画像読み取り手段との両方を使用して画像を読み取る際に、予め、前記第１の画像読み取り手段及び前記第２の画像読み取り手段により読み取った原稿の送信順位を設定しておく送信順位設定手段と、
該送信順位設定手段の設定した送信順位に従い、前記第１の画像読み取り手段と前記第２の画像読み取り手段とを駆動制御して、前記設定された送信順位に従って原稿の画像を読み取る読み取り制御手段と
を備えると共に、さらに、以下の構成をも備えることを特徴とするファクシミリ装置。
（Ａ１）  前記送信順位設定手段は、前記第１の画像読み取り手段と前記第２の読み取り手段のいずれを用いて原稿を読み取るかをページ単位で設定することができる手段として構成されていること。
（Ｂ１）  前記読み取り制御手段は、前記送信順位設定手段により設定された送信順位に従って、１ページ毎に前記第１の画像読み取り手段と前記第２の画像読み取り手段のいずれによる画像の読み取りを行う設定となっているかを判断しながら、前記第１の画像読み取り手段及び前記第２の画像読み取り手段をページ単位で切り替える駆動制御をする制御手段として構成されていること。
【請求項２】
オートドキュメントフィーダ機構により原稿を紙送りしながら所定位置に配置されたイメージセンサで画像を読み取る第１の画像読み取り手段と、
透明な原稿台上に載置された原稿に対してイメージセンサを移動させつつ画像を読み取るフラットベッド方式の第２の画像読み取り手段と
を備えているファクシミリ装置において、
前記第１の画像読み取り手段と前記第２の画像読み取り手段との両方を使用して画像を読み取る際に、予め、前記第１の画像読み取り手段及び前記第２の画像読み取り手段により読み取った原稿の送信順位を設定しておく送信順位設定手段と、
該送信順位設定手段の設定した送信順位に従い、前記第１の画像読み取り手段と前記第２の画像読み取り手段とを駆動制御して、前記設定された送信順位に従って原稿の画像を読み取る読み取り制御手段と
を備えると共に、さらに、以下の構成をも備えることを特徴とするファクシミリ装置。
（Ａ２）  前記送信順位設定手段は、前記第１の画像読み取り手段によって読み取った原稿の途中のページとして前記第２の読み取り手段によって読み取った原稿を混在させる混在型の送信順位を予め設定することができる手段として構成されていること。
（Ｂ２）  前記読み取り制御手段は、前記送信順位設定手段が混在型の送信順位を設定した場合に、当該混在型の送信順位に従って、前記第１の画像読み取り手段で画像の読み取りを行った後に、前記第２の画像読み取り手段で画像の読み取りを行い、再び前記第１の画像読み取り手段で画像を読み取る様に、前記第１の画像読み取り手段及び前記第２の画像読み取り手段を駆動制御する制御手段として構成されていること。
【請求項３】
請求項１又は２記載のファクシミリ装置において、さらに、以下の構成をも備えたことを特徴とするファクシミリ装置。
（Ａ３）  前記送信順位設定手段は、前記第２の読み取り制御手段によって読み取った画像の送信順位を、何ページ目とするかを設定する手段として構成されていること。
【請求項４】
請求項１〜３のいずれか記載のファクシミリ装置において、さらに、以下の構成をも備えたことを特徴とするファクシミリ装置。
（Ｃ）  前記読み取り制御手段が、前記送信順位設定手段の設定した送信順位に従い、前記第２の画像読み取り手段による読み取り順位になったとき、前記原稿台に原稿をセットして読み取り動作を実行すべき旨のメッセージを表示装置に表示するメッセージ表示手段を備えていること。
【発明の詳細な説明】
【０００１】
【発明の属する技術分野】
本発明は、ファクシミリ装置に関するものである。
【０００２】
【従来の技術】
従来、オートドキュメントフィーダ（ＡＤＦ）機構により原稿を紙送りしながら所定位置に配置されたイメージセンサで画像を読み取るＡＤＦ読み取り手段と、透明な原稿台上に載置された原稿に対してイメージセンサを移動させつつ画像を読み取るフラットベッド（ＦＢ）方式のＦＢ読み取り手段とを備えているファクシミリ装置が知られている。
【０００３】
【発明が解決しようとする課題】
ところで、この従来のファクシミリ装置によると、ＦＢ読み取り手段により読み取った原稿の画像とＡＤＦ読み取り手段により読み取った原稿の画像とを混在させてファクシミリ送信することができなかった。このため、例えば厚い本の様なものに記載されている原稿を単票原稿と共にファクシミリ送信したい場合には、本の該当ページを予めコピーして単票化しておいて全てをＡＤＦ機構にセットして全ての原稿をＡＤＦ読み取り手段で読み取ってファクシミリ送信するか、あるいは、単票原稿も本と同じくＦＢにセットして全ての原稿をＦＢ読み取り手段で読み取ってファクシミリ送信するしかなく、面倒な操作が必要になるという問題がある。
【０００４】
そこで、本発明は、オートドキュメントフィーダ（ＡＤＦ）とフラットベッド（ＦＢ）とを備えているファクシミリ装置において、ＡＤＦとＦＢとにより読み取った画像を混在させてファクシミリ送信できる様にすることを目的とする。
【０００５】
【課題を解決するための手段】
上記目的を達成するためになされた請求項１のファクシミリ装置は、オートドキュメントフィーダ（ＡＤＦ）機構により原稿を紙送りしながら所定位置に配置されたイメージセンサで画像を読み取る第１の画像読み取り手段と、透明な原稿台上に載置された原稿に対してイメージセンサを移動させつつ画像を読み取るフラットベッド（ＦＢ）方式の第２の画像読み取り手段とを備えているファクシミリ装置において、前記第１の画像読み取り手段と前記第２の画像読み取り手段との両方を使用して画像を読み取る際に、予め、前記第１の画像読み取り手段及び前記第２の画像読み取り手段により読み取った原稿の送信順位を設定しておく送信順位設定手段と、該送信順位設定手段の設定した送信順位に従い、前記第１の画像読み取り手段と前記第２の画像読み取り手段とを駆動制御して、前記設定された送信順位に従って原稿の画像を読み取る読み取り制御手段とを備えると共に、さらに、以下の構成をも備えることを特徴とする。
（Ａ１）  前記送信順位設定手段は、前記第１の画像読み取り手段と前記第２の読み取り手段のいずれを用いて原稿を読み取るかをページ単位で設定することができる手段として構成されていること。
（Ｂ１）  前記読み取り制御手段は、記送信順位設定手段により設定された送信順位に従って、１ページ毎に前記第１の画像読み取り手段と前記第２の画像読み取り手段のいずれによる画像の読み取りを行う設定となっているかを判断しながら、前記第１の画像読み取り手段及び前記第２の画像読み取り手段をページ単位で切り替える駆動制御をする制御手段として構成されていること。
また、請求項２のファクシミリ装置は、ＡＤＦ機構により原稿を紙送りしながら所定位置に配置されたイメージセンサで画像を読み取る第１の画像読み取り手段と、透明な原稿台上に載置された原稿に対してイメージセンサを移動させつつ画像を読み取るＦＢ方式の第２の画像読み取り手段とを備えているファクシミリ装置において、前記第１の画像読み取り手段と前記第２の画像読み取り手段との両方を使用して画像を読み取る際に、予め、前記第１の画像読み取り手段及び前記第２の画像読み取り手段により読み取った原稿の送信順位を設定しておく送信順位設定手段と、該送信順位設定手段の設定した送信順位に従い、前記第１の画像読み取り手段と前記第２の画像読み取り手段とを駆動制御して、前記設定された送信順位に従って原稿の画像を読み取る読み取り制御手段とを備えると共に、さらに、以下の構成をも備えることを特徴とする。
（Ａ２）  前記送信順位設定手段は、前記第１の画像読み取り手段によって読み取った原稿の途中のページとして前記第２の読み取り手段によって読み取った原稿を混在させる混在型の送信順位を予め設定することができる手段として構成されていること。
（Ｂ２）  前記読み取り制御手段は、前記送信順位設定手段が混在型の送信順位を設定した場合に、当該混在型の送信順位に従って、前記第１の画像読み取り手段で画像の読み取りを行った後に、前記第２の画像読み取り手段で画像の読み取りを行い、再び前記第１の画像読み取り手段で画像を読み取る様に、前記第１の画像読み取り手段及び前記第２の画像読み取り手段を駆動制御する制御手段として構成されていること。
そして、請求項３はのファクシミリ装置は、請求項１又は２記載のファクシミリ装置において、さらに、以下の構成をも備えたことを特徴とする。
（Ａ３）  前記送信順に設定手段は、前記第２の読み取り制御手段によって読み取った画像の送信順位を、何ページ目とするかを設定する手段として構成されていること。
【０００６】
この請求項１〜３の各ファクシミリ装置によれば、ＡＤＦを利用した第１の画像読み取り手段とＦＢを利用した第２の画像読み取り手段との両方を使用して画像を読み取る際に、送信順位設定手段で、予め、第１の画像読み取り手段及び第２の画像読み取り手段により読み取った原稿の送信順位を設定しておく。すると、読み取り制御手段は、送信順位設定手段の設定した送信順位に従い、第１の画像読み取り手段と第２の画像読み取り手段とを駆動制御して、設定された送信順位に従って原稿の画像を読み取る。この結果、ＡＤＦを利用して読み取った画像とＦＢを利用して読み取った画像とを、設定した送信順位に従ってファクシミリ送信することができる様になる。
【０００７】
また、請求項４のファクシミリ装置は、請求項１〜３のいずれか記載のファクシミリ装置において、さらに、以下の構成をも備えたことを特徴とする。
（Ｃ）  前記読み取り制御手段が、前記送信順位設定手段の設定した送信順位に従い、前記第２の画像読み取り手段による読み取り順位になったとき、前記原稿台に原稿をセットして読み取り動作を実行すべき旨のメッセージを表示装置に表示するメッセージ表示手段を備えていること。
【０００８】
この請求項４のファクシミリ装置によれば、第２の画像読み取り手段による読み取り順位になったとき、メッセージ表示手段が、原稿台に原稿をセットしてＦＢ方式での読み取り動作を実行すべき旨のメッセージを表示装置に表示する。この結果、ユーザは、ＡＤＦを利用して画像を読み取るべき原稿をまとめてＡＤＦにセットしておき、メッセージ表示手段によるメッセージが表示されたら、ＦＢの原稿台に本などの送信原稿をセットすればよい。
【０００９】
【発明の実施の形態】
次に、本発明の実施の形態であるファクシミリ装置を図面に従って説明する。このファクシミリ装置１は、図１に示す様に、ＡＤＦ原稿セットトレイ３と、原稿ガイド５と、紙送りローラ７と、ＡＤＦ原稿排紙トレイ９と、コンタクトガラス１１と、読み取りモジュール１３と、光源１５とからなるＡＤＦ読み取り機構を備えている。また、これに加えて、ＦＢ押さえ板１７とガラス製のＦＢ原稿台１９とを備え、前述の読み取りモジュール１３及び光源１５とからＦＢ読み取り機構をも備えている。
【００１０】
ＡＤＦ読み取り機構にて画像を読み取る場合は、図１（Ａ）に示す様に、ＡＤＦ原稿セットトレイ３上に原稿Ａをセットして読み取り開始を指令することにより、紙送りローラ７が回転して原稿Ａをコンタクトガラス１１上を通過させつつ紙送りする。すると、コンタクトガラス１１の直下にある読み取りモジュール１３が、コンタクトガラス１１を介して原稿Ａの画像を読み取る。これに対し、ＦＢ読み取り機構にて画像を読み取る場合は、図１（Ｂ）に示す様に、原稿台１７の上に原稿Ｂを載置し、ＦＢ押さえ板１７で原稿Ｂを原稿台１９に押し当てた状態として読み取り開始を指令することにより、読み取りモジュール１３及び光源１５が図示矢印の様に移動しつつ、原稿Ｂに記載されている画像の読み取りを実行する。
【００１１】
次に、実施の形態のファクシミリ装置１の制御系統の概略について説明する。このファクシミリ装置１は、図２に示す様に、ＣＰＵ２１と、ＲＯＭ２３と、ＲＡＭ２５と、操作パネル２７と、プリンタ２９と、符号・復号器３１と、ＬＣＤ３３と、ＡＤＦ制御部３５と、ＦＢ制御部３７と、モデム３９と、ＮＣＵ４１等から構成されている。
【００１２】
ＣＰＵ２１は、このファクシミリ装置１の制御の中枢を司り、各種のプログラムを実行する。ＲＯＭ２３は、ＣＰＵ２１が実行する各種のプログラムや制御データ等を予め記憶している。ＲＡＭ２５は、各種のプログラムを実行する際のワークエリアとして機能し、例えば、原稿から読み取った画像データを記憶したりする。操作パネル２７は、各種のプログラムを実行する際の条件などを指定するための多数のキーを備えている。プリンタ２９は、外部から受信したファクシミリデータを印刷出力する。符号・復号器３１は、このファクシミリ装置１で読み取った画像データをＧ３圧縮形式のデータに符号化したり、逆に、Ｇ３圧縮形式のデータをプリンタ２９で印刷出力可能な形式の画像データに復号化したりする。ＬＣＤ３３は、各種のメッセージ等を表示するために設けられている。ＡＤＦ制御部３５は、ＡＤＦ読み取り機構を駆動して、ＡＤＦにセットされた原稿から画像データを読み取る制御を実行する。ＦＢ制御部３７は、ＦＢ読み取り機構を駆動して、ＦＢにセットされた原稿から画像データを読み取る制御を実行する。モデム３９及びＮＣＵ４１は、外部との通信のために設けられている。
【００１３】
次に、実際に、ＡＤＦとＦＢの両方で読み取った原稿の画像データをファクシミリ送信する例について説明する。この様なファクシミリ送信を行う場合には、まず、ＡＤＦに原稿をセットし、操作パネル２７からダイヤル入力を行った後、操作パネル２７に備えられている「ＦＢ混在」キーを押下する。すると、ＬＣＤ３３に、「ＦＢ：  ？  ＰＡＧＥ」といった表示がなされる。そこで、ユーザは、ＦＢの原稿を送るページ数を操作パネル２７のテンキーで入力し、続けてセットキーを押下することによってページの指定を実行する。例えば、２ページ目と４ページ目をＦＢからとするときは、［２］［セット］［４］［セット］［スタート］とキーを押下する。最後のスタートキー押下は読み取り開始の指示に相当する。
【００１４】
こうして読み取り開始が指示されると、図３に示す様に、まず、ｎ＝０と初期化を実行する（Ｓ１０）。なお、ｎはページ数を意味する。そして、ｎをｎ＋１にインクリメントし（Ｓ２０）、ｎページはＡＤＦか否かを判断する（Ｓ３０）。ＡＤＦであると判断された場合は（Ｓ３０：ＹＥＳ）、ＡＤＦ読み込みを実行する（Ｓ４０）。一方、ＡＤＦではないと判断された場合は（Ｓ３０：ＮＯ）、ＦＢ読み込みを実行する（Ｓ５０）。ここで、ＦＢ読み込みを実行する際には、ＬＣＤ３３に原稿をＦＢの原稿台１９にセットしてスタートキーを押す様にとのメッセージが表示される。従って、ユーザはこのメッセージに従って、原稿をＦＢの原稿台１９にセットしてスタートキーを押下する。こうして、ＡＤＦ読み込み又はＦＢ読み込みを実行したら、ｎは最終ページか否かを判断する（Ｓ６０）。そして、最終ページでない場合には、再びＳ２０以下の処理に戻り、最終ページであるときは本処理を終了する。ｎが最終ページか否かの判断は、ＡＤＦ原稿セットトレイ３にセットされた原稿が全てなくなり、かつ、ＦＢ読み込みでページ指定された原稿の読み込みも終了したことによって、最終であると判断することができるが、例えば、ＡＤＦ原稿の枚数、あるいはＡＤＦ原稿とＦＢ原稿との総枚数を、予め指定（テンキーで入力）しておくことによっても、判断可能である。なお、ＡＤＦあるいはＦＢで読み取った原稿の画情報をファクシミリ送信するに際しては、原稿を読み取りながらファクシミリ送信する、いわゆる「直接送信」であっても良いし、一旦、画情報をメモリに格納してからファクシミリ送信する、いわゆる「メモリ送信」であっても良い。
【００１５】
以上説明した様に、本実施の形態のファクシミリ装置１によれば、ＡＤＦ読み取り機構とＦＢ読み取り機構のそれぞれから読み取った画像データを混在させた形でファクシミリ送信することができる。従って、単票原稿と厚手の本の所定ページとを混在させてファクシミリ送信しようとするとき、本の該当ページをコピーして単票化する必要がないし、逆に、単票原稿も全てＦＢ読み取り機構で読み取らせる必要もなく、極めて使い勝手がよいという効果が発揮される。
【００１６】
以上、本発明の一実施の形態について説明したが、本発明はこの実施の形態に限られるものではなく、その要旨を逸脱しない範囲内においてさらに種々の形態を採用することができることはもちろんである。例えば、上記実施の形態では、ＦＢ読み込みのメッセージをＬＣＤ３３に視覚的に表示する様にしたが、その旨を音声によって聴覚的に表示する様にしても良いし、その両方によって表示する様にしても良い。
【００１７】
【発明の効果】
以上説明した様に、本発明によれば、オートドキュメントフィーダ（ＡＤＦ）とフラットベッド（ＦＢ）とを備えているファクシミリ装置において、ＡＤＦとＦＢとにより読み取った画像を混在させてファクシミリ送信することができる。
【図面の簡単な説明】
【図１】  実施の形態のファクシミリ装置の原稿読み取り部分を示す断面図である。
【図２】  実施の形態のファクシミリ装置の制御系統を示すブロック図である。
【図３】  実施の形態のファクシミリ装置における制御処理の内容を示すフローチャートである。
【符号の説明】
１・・・ファクシミリ装置、３・・・ＡＤＦ原稿セットトレイ、５・・・原稿ガイド、７・・・紙送りローラ、９・・・ＡＤＦ原稿排紙トレイ、１１・・・コンタクトガラス、１３・・・読み取りモジュール、１５・・・光源、１７・・・ＦＢ押さえ板、１９・・・ＦＢ原稿台、２１・・・ＣＰＵ、２３・・・ＲＯＭ、２５・・・ＲＡＭ、２７・・・操作パネル、２９・・・プリンタ、３１・・・符号・復号器、３３・・・ＬＣＤ、３５・・・ＡＤＦ制御部、３７・・・ＦＢ制御部、３９・・・モデム、４１・・・ＮＣＵ。
【図１】
0004161510.tif 000002
【図２】
0004161510.tif 000003
【図３】
0004161510.tif 000004